(57)【特許請求の範囲】
【請求項１】
記録媒体の反射率を検出する検出手段と、
該検出手段で検出された反射率に応じて背景印刷の要否を判定する判定手段と、
該判定手段で背景印刷が必要と判定された場合に、前記検出手段で検出された反射率に応じて背景印刷の濃度を補正する補正手段と、
該補正手段の補正結果に基づいて前記記録媒体上の一部または全部に反射率に応じた濃度のハーフトーンの背景画像を印刷する背景印刷手段と、
前記記録媒体上の一部または全部に印刷された背景印刷上に黒の線と白の線とが縞模様状に組み合わされて構成されたバーコードを重ねて印刷するバーコード印刷手段と、
を備えることを特徴とする画像形成装置。
【請求項２】
印刷情報の受信手段と、
該受信手段で受信された印刷情報にバーコードの情報があるか否かを判定する判定手段と、
を備え、
前記判定手段で、印刷情報にバーコードの情報があると判定された場合に、前記検出手段による記録媒体の反射率の検出を行うことを特徴とする請求項１記載の画像形成装置。
【請求項３】
請求項１または請求項２に記載の１または２以上の画像形成装置と、
通信手段を介して前記画像形成装置と接続される１または２以上の情報処理装置と、
から構成されることを特徴とする画像形成システム。
【請求項４】
記録媒体の反射率を検出する検出過程と、
該検出過程で検出された反射率に応じて背景印刷の要否を判定する判定過程と、
該判定過程で背景印刷が必要と判定された場合に、前記検出過程で検出された反射率に応じて背景印刷の濃度を補正する補正過程と、
該補正過程の補正結果に基づいて前記記録媒体上の一部または全部に反射率に応じた濃度のハーフトーンの背景画像を印刷する背景印刷過程と、
前記記録媒体上の一部または全部に印刷された背景印刷上に黒の線と白の線とが縞模様状に組み合わされて構成されたバーコードを重ねて印刷するバーコード印刷過程と、
を演算手段に実行させることを特徴とする画像形成プログラム。
【請求項５】
印刷情報の受信過程と、
該受信過程で受信された印刷情報にバーコードの情報があるか否かを判定する判定過程と、
を有し、
前記判定過程で、印刷情報にバーコードの情報があると判定された場合に、前記検出過程による記録媒体の反射率の検出を行うことを特徴とする請求項４記載の画像形成プログラム。
【発明の詳細な説明】
【技術分野】
【０００１】
本発明は、画像形成装置、画像形成システムおよび画像形成プログラムに関するものである。
【背景技術】
【０００２】
従来から商品を管理するためにＥＡＮ／ＪＡＮ／ＵＰＣによる商品コードがあり、段ボール箱やパレットを管理するためにＩＴＦ１４／１６による物流コードがあった。
【０００３】
しかし、ＰＯＳ（販売時点管理システム）やＥＯＳ（電子発注システム）、ＥＤＩ（電子データ交換）等の流通情報管理システムの発展により、より高度な商品管理や物流管理、業務管理が求められてきた。このような要求に応えるために国際ＥＡＮ協会が、物流情報や商取引情報を表示する流通補足バーコードシンボルとしてＵＣＣ／ＥＡＮ１２８を開発した。このシンボルは、シンボル規格のＣＯＤＥ１２８をベースにしたアプリケーション規格である。
【０００４】
そして、昨今、流通分野をはじめコンビニエンスストアの料金代理収納システム等の用途において、上記規格のＵＣＣ／ＥＡＮ１２８バーコード（ＥＡＮ−１２８：Ｅｕｒｏｐｅａｎ  Ａｒｔｉｃｌｅ  Ｎｕｍｂｅｒ  １２８：国際ＥＡＮ協会が標準化したバーコード）が使用されるようになっている。このＵＣＣ／ＥＡＮ１２８は、両側のクワイエットゾーンを含めたバーコードの全長を６０ｍｍ以内とする必要があり、４種類の太さの線で構成されている。
【０００５】
ＵＣＣ／ＥＡＮ１２８は、流通分野で使用することを目的としているため、物流管理情報と業務管理情報に使用可能である。
【０００６】
物流管理情報とは、具体的にはカートン番号、出荷コンテナコード、バッチ／ロット番号、製造年月日、包装年月日、保証期限、販売期限、リニューアル商品、連続番号、数量、計量単位等である。また、業務管理情報とは、具体的には注文番号、商品委託番号、ロケーション番号（納入場所コード）、輸送貨物番号、請求先コード、仕入れ先コード、送り先コード、返品管理番号、サービス関連番号等である。
【０００７】
ところで、ＥＡＮ−１２８バーコードは、従来のＪＡＮ等のバーコードに比べて記録する情報量が多く、モジュール幅が非常に小さいため、バーコードの印刷には高精度かつ高精彩な印刷結果が必要とされ、安定した読み取り精度を得ることが非常に難しいバーコードである。
【０００８】
即ち、ＥＡＮ−１２８バーコードを例えば解像度６００ｄｐｉで印刷する場合に、バーコードを構成するドット構成は、白の線（以下「白バー」という）と黒の線（以下「黒バー」という）ともに、４ドット（０．１６９ｍｍ）、８ドット、１２ドット、１６ドットで行い、１２００ｄｐで印刷を行う場合には白バーと黒バーがともに９ドット（０．１９０ｍｍ）、１８ドット、２７ドット、３６ドットで行うのが一般的であり、線幅は非常に細く高密度になって印刷が困難となり、印刷精度が低下するとバーコードリーダによる安定した読み取り精度を得ることが難しくなるという問題がある。
【０００９】
このため、バーコードを印刷するプリンタ（画像形成装置）においては、安定した読み取りを確保できるバーコードを印刷することが課題となっている。
【００１０】
従来のプリンタにおいてバーコードの読み取り精度を向上させる技術としては、特開２００６−３２３４４６号公報に開示されるように記録媒体の反射率に応じてバーコードのドット数を可変させてバーの幅を変える技術や、特開平４−０８８５８５号公報に開示されるように印刷するバーコードの色を変える技術が提案されている。
【００１１】
即ち、バーコード印刷に使用されるプリンタは、安定した読み取り率が得られる高精度なバーコードを印刷することが要求されているが、バーコードの読み取り結果として見た場合に、特開２００６−３２３４４６号公報でも指摘されるように、印刷されたバーコードの印刷精度以外に、使用する記録媒体の反射率も読み取り率に影響を与える要素となっている。
【００１２】
つまり、バーコードの読み取り率は、バーの印刷結果（精度）以外に使用媒体の反射率にも影響される。これは、バーコード読み取り装置（バーコードリーダ）の特性上、反射率によって黒バーおよび白バーを認識する閾値が変化するためである。
【特許文献１】特開２００６−３２３４４６号公報
【特許文献２】特開平４−０８８５８５号公報
【発明の開示】
【発明が解決しようとする課題】
【００１３】
本発明は、記録媒体の反射率に関わらず安定した読み取り率が得ることが可能なバーコード印刷を行うことのできる画像形成装置および画像形成プログラムを提供することを目的とする。
【課題を解決するための手段】
【００１４】
前記課題を解決するため、請求項１の発明に係る画像形成装置は、記録媒体の反射率を検出する検出手段と、該検出手段で検出された反射率に応じて背景印刷の要否を判定する判定手段と、該判定手段で背景印刷が必要と判定された場合に、前記検出手段で検出された反射率に応じて背景印刷の濃度を補正する補正手段と、該補正手段の補正結果に基づいて前記記録媒体上の一部または全部に反射率に応じた濃度のハーフトーンの背景画像を印刷する背景印刷手段と、前記記録媒体上の一部または全部に印刷された背景印刷上に黒の線と白の線とが縞模様状に組み合わされて構成されたバーコードを重ねて印刷するバーコード印刷手段と、を備えることを特徴とする。
【００１９】
請求項２の発明に係る画像形成装置は、請求項１記載の発明において、印刷情報の受信手段と、該受信手段で受信された印刷情報にバーコードの情報があるか否かを判定する判定手段とを備え、前記判定手段で、印刷情報にバーコードの情報があると判定された場合に、前記検出手段による記録媒体の反射率の検出を行うことを特徴とする。
【００２０】
請求項３の発明に係る画像形成システムは、請求項１または請求項２に記載の１または２以上の画像形成装置と、通信手段を介して前記画像形成装置と接続される１または２以上の情報処理装置とから構成されることを特徴とする。
【００２２】
請求項４の発明に係る画像形成プログラムは、記録媒体の反射率を検出する検出過程と、該検出過程で検出された反射率に応じて背景印刷の要否を判定する判定過程と、該判定過程で背景印刷が必要と判定された場合に、前記検出過程で検出された反射率に応じて背景印刷の濃度を補正する補正過程と、該補正過程の補正結果に基づいて前記記録媒体上の一部または全部に反射率に応じた濃度のハーフトーンの背景画像を印刷する背景印刷過程と、前記記録媒体上の一部または全部に印刷された背景印刷上に黒の線と白の線とが縞模様状に組み合わされて構成されたバーコードを重ねて印刷するバーコード印刷過程と、を演算手段に実行させることを特徴とする。
【００２５】
請求項５の発明に係る画像形成プログラムは、請求項４記載の発明において、印刷情報の受信過程と、該受信過程で受信された印刷情報にバーコードの情報があるか否かを判定する判定過程とを有し、前記判定過程で、印刷情報にバーコードの情報があると判定された場合に、前記検出過程による記録媒体の反射率の検出を行うことを特徴とする。
【発明の効果】
【００２６】
本発明によれば以下の効果を奏することができる。
【００２８】
請求項１に記載の発明によれば、本構成を有していない場合に比較して、背景印刷が必要と判定された場合に、記録媒体の反射率に応じて濃度を補正した背景印刷を行うようにしているので、当該装置で背景印刷を施した記録媒体を用いてバーコード等を印刷した場合に、バーコード読み取り精度を向上させることができ、読み取り不良の発生率を減少させることができるという優れた効果がある。また、記録媒体の反射率に関わらずバーコードの読み取りに最適な反射率を有する背景印刷を行うことができるので、バーコードを印刷する度に操作者が読み取りに適した記録媒体を選択する必要が無くなり、利便性を向上させることができる。さらに、読み取り精度を向上させることができ、読み取り不良の発生率を減少させることができるバーコードを印刷することができるという優れた効果がある。
【００３２】
請求項２に記載の発明によれば、本構成を有していない場合に比較して、印刷情報にバーコードの情報がある場合にのみ反射率の検出を行っているので、装置を有効に動作させることができる。
【００３３】
請求項３に記載の発明によれば、本構成を有していない場合に比較して、記録媒体の反射率に応じて濃度を補正した背景印刷を行うようにしているので、当該システムで背景印刷を施した記録媒体を用いてバーコード等を印刷した場合に、バーコード読み取り精度を向上させることができ、読み取り不良の発生率を減少させることができるという優れた効果がある。また、記録媒体の反射率に関わらずバーコードの読み取りに最適な反射率を有する背景印刷を行うことができるので、バーコードを印刷する度に操作者が読み取りに適した記録媒体を選択する必要が無くなり、利便性を向上させることができる。
【００３５】
請求項４に記載の発明によれば、本構成を有していない場合に比較して、背景印刷が必要と判定された場合に、記録媒体の反射率に応じて濃度を補正した背景印刷を行うようにしているので、当該プログラムによって背景印刷を施した記録媒体を用いてバーコード等を印刷した場合に、バーコード読み取り精度を向上させることができ、読み取り不良の発生率を減少させることができるという優れた効果がある。また、記録媒体の反射率に関わらずバーコードの読み取りに最適な反射率を有する背景印刷を行うことができるので、バーコードを印刷する度に操作者が読み取りに適した記録媒体を選択する必要が無くなり、利便性を向上させることができる。さらに、読み取り精度を向上させることができ、読み取り不良の発生率を減少させることができるバーコードを印刷することができるという優れた効果がある。
【００３８】
請求項５に記載の発明によれば、本構成を有していない場合に比較して、印刷情報にバーコードの情報がある場合にのみ反射率の検出を行っているので、プログラムを有効に動作させることができる。
【発明を実施するための最良の形態】
【００３９】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００４０】
図１は第１の実施の形態に係る画像形成装置の構成を示す側面図、図２はその画像形成装置の機能構成を示すブロック図、図３はバーコード印刷処理の処理手順を示すフローチャート、図４は第２の実施の形態に係る画像形成装置の構成を示す側面図、図５はバーコードの印刷例を示す参考図である。
【００４１】
図１および図２に示すように、本発明の第１の実施の形態に係るプリンタＰＲ１は、ホストコンピュータＰＣ等から受信した印刷データを解析しイメージ画像を描画するマイクロコンピュータ等で構成される制御部１と、記録媒体としての印刷用紙Ｐを収納する給紙部２と、給紙部２に設けられた印刷用紙Ｐの表面の反射率を検出する反射率検出センサ３（３ａ，３ｂ）およびその他の印刷機構部１０２等から構成されている。
【００４２】
制御部１は、受信データの解析を行う受信データ解析部１００と、解析データをイメージ画像に変換する描画部１０１とを有している。
【００４３】
また、特に限定はされないが、本実施の形態では印刷機構部１０２は、レーザ方式のプリンタエンジンが適用されている。
【００４４】
また、図１において符号Ｈ１，Ｈ２は、印刷用紙Ｐの搬送経路を示している。即ち、搬送経路Ｈ１は、給紙部２に設けられる給紙トレイＴ１，Ｔ２から搬送される場合の経路を示し、搬送経路Ｈ２は、手差し部４から搬送される場合の経路を示している。
【００４５】
本実施の形態において、反射率検出センサ３ａ，３ｂは、給紙部２に設けられる各給紙トレイＴ１，Ｔ２に収納される印刷用紙Ｐの上面に対向する位置にそれぞれ配設されている。
【００４６】
そして、反射率検出センサ３ａ，３ｂで測定された反射率は描画部１０１に送られ、この描画部１０１が備えるバーコード背景の濃度補正機能により最適な濃度補正値が算出される。
【００４７】
ここで、印刷用紙の反射率は、印刷用紙が有する表面平滑性、光沢、白色度、不透明度等の特性によって異なる。特に限定されないが、一般的な印刷用紙は７５％以上の反射率を有している。
【００４８】
また、ＵＣＣ／ＥＡＮ−１２８の規格に準拠したバーコードを印刷用紙Ｐの一部または全面に施された背景印刷の上に印刷した場合に、そのバーコードをどの程度の安定性で読み取れるかはバーコードリーダの特性や性能にも左右される。
【００４９】
したがって、描画部１０１によって算出される濃度補正値は、上述のような印刷用紙Ｐの特性やバーコードリーダの特性等を勘案して決定されることが望ましい。
【００５０】
また、印刷用紙Ｐの反射率によるＵＣＣ／ＥＡＮ−１２８の規格に準拠したバーコードの黒バーおよび白バー認識の閾値の変化に対応させて濃度補正値を決定するようにしてもよい。
【００５１】
なお、通常は、印刷用紙Ｐの反射率は、背景であるバーコードスペース部（白バー）の反射率となるので、白バー部の反射率を濃度補正値に基づいてバーコード印刷時に補正するようにしてもよい。
【００５２】
また、特には限定されないが、印刷用紙Ｐの反射率（濃度補正値）に応じた濃度のハーフトーン印刷をバーコードの背景部分（白バーおよび外周部）に行い、白バー部の反射率を読み取りに最も有利な反射率とすることもできる。
【００５３】
次に、図３のフローチャートに基づいて上記実施の形態に係るプリンタＰＲ１において実行されるバーコード印刷処理の処理手順について説明する。
【００５４】
この処理が開始されると、まず、ステップＳ１０で印刷データを受信してステップＳ１１に移行する。
【００５５】
ステップＳ１１では、受信データを解析してステップＳ１２に移行する。
【００５６】
ステップＳ１２では、印刷データにバーコードデータが有るか否かが判定され、「Ｎｏ」の場合にはステップＳ１６に移行して通常の文書あるいは図形等の印刷を行って処理を終了する。
【００５７】
一方、ステップＳ１２でバーコードデータが有ると判定された場合にはステップＳ１３に移行して印刷用紙Ｐの反射率を反射率検出センサ３ａ，３ｂによって検出する。
【００５８】
次いで、ステップＳ１４に移行して、印刷対象としてのＵＣＣ／ＥＡＮ−１２８の規格に準拠したバーコードの白バー部の補正が必要か否かの判定を行う。
【００５９】
具体的には、例えば制御部１に白バー部の補正必要有無の閾値を格納し、その閾値と検出した反射率との比較を行って判定する。
【００６０】
そして、判定結果が「Ｎｏ」の場合にはステップＳ１６に移行して通常の濃度等の条件でＵＣＣ／ＥＡＮ−１２８バーコードの印刷を行って処理を終了する。
【００６１】
また、白バー部の補正が必要であると判定された場合には、ステップＳ１５に移行して、反射率に応じた濃度の補正値を算出し、その補正値に基づいたハーフトーンをバーコードが印刷される位置の背景部分に生成する。即ち、背景部分にハーフトーンが付与されたバーコードイメージ画像に変換される。
【００６２】
ステップＳ１６においては、上記変換された画像に基づいて、所定のバーコードリーダの読み取り特性等に最適化された反射率を実現できる背景印刷の上にＵＣＣ／ＥＡＮ−１２８バーコードの印刷を行って処理を終了する。
【００６３】
なお、背景印刷を行った後にＵＣＣ／ＥＡＮ−１２８バーコードを印刷しても良いし、同時並行的に背景印刷とバーコード印刷を行うようにしても良い。
【００６４】
次に、図４に基づいて第２の実施の形態に係るプリンタＰＲ２について説明する。
【００６５】
なお、第１の実施の形態に係るプリンタＰＲ１との相違点は、反射率検出センサの取り付け位置であるので、他の構成については同一の符号を付して説明を省略する。
【００６６】
プリンタＰＲ２では、搬送経路Ｈ１とＨ２が合流した後の搬送経路Ｈ３の途中に反射率検出センサ３ｃが設けられている。
【００６７】
この構成によれば、第１の実施の形態に係るプリンタＰＲ１のように、用紙トレイＴ１，Ｔ２毎に反射率検出センサを設ける必要がないので、制御が簡単になり、またコストを低減することができるというメリットがある。
【００６８】
なお、プリンタＰＲ２におけるバーコード印刷処理の処理手順はプリンタＰＲ１の図３に示すフローチャートと同様である。
【００６９】
最後に、バーコードの印刷例を図５に示す。
【００７０】
図５（Ａ）は背景印刷なしでＵＣＣ／ＥＡＮ−１２８バーコードを印刷した例である。
【００７１】
また、図５（Ｂ）は背景印刷を行った後に、ＵＣＣ／ＥＡＮ−１２８バーコードを当該背景上に印刷した例である。この背景印刷により、反射率を適度に調整してバーコードリーダによるバーコードの読取精度を向上させることができる。
【００７２】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００７３】
例えば、予め測定した所定の印刷用紙に対応する反射率の情報を格納する格納手段としてのメモリと、所定の印刷用紙を指定する指定手段としての操作ボタン等と、該指定手段で指定された印刷用紙に対応する反射率をメモリから読み出す読出手段と、該読出手段で読み出された反射率に応じて濃度を補正する補正手段と、該補正手段の補正結果に基づいて印刷用紙上の一部または全部に背景印刷を行う背景印刷手段とを備えた構成とすることも可能である。
【００７４】
また、プログラムを用いる場合には、ネットワークを介して提供し、或いはＣＤ−ＲＯＭ等の記録媒体に格納して提供することが可能である。
【産業上の利用可能性】
【００７５】
本発明による画像形成装置、画像形成システムおよび画像形成プログラムは、レーザプリンタ、フルカラープリンタ、ファクシミリ装置等に適用することができる。
【図面の簡単な説明】
【００７６】
【図１】第１の実施の形態に係る画像形成装置の構成を示す側面図である。
【図２】その画像形成装置の機能構成を示すブロック図である。
【図３】バーコード印刷処理の処理手順を示すフローチャートである。
【図４】第２の実施の形態に係る画像形成装置の構成を示す側面図である。
【図５】バーコードの印刷例を示す参考図である。
【符号の説明】
【００７７】
ＰＲ１，ＰＲ２  プリンタ（画像形成装置）
ＰＣ  ホストコンピュータ（情報処理装置）
１  制御部（格納手段，読出手段，判定手段，指定手段）
２  給紙部
３（３ａ，３ｂ，３ｃ）  反射率検出センサ（検出手段）
１００  受信データ解析部
１０１  描画部（補正手段，背景印刷手段，バーコード印刷手段）
１０２  印刷機構部
Ｈ１，Ｈ２，Ｈ３  搬送経路
Ｐ  印刷用紙（記録媒体）
Ｔ１，Ｔ２  用紙トレイ
【図１】
0005257568.tif 000002
【図２】
0005257568.tif 000003
【図３】
0005257568.tif 000004
【図４】
0005257568.tif 000005
【図５】
0005257568.tif 000006